(57)【要約】【課題】設置する場所の大きさやレイアウトに合わせてベッドのサイズを自在に設定でき、かつベッド装置全体の軽量化を図ることができる折畳み式ベッド装置を提供する。【解決手段】折畳み式ベッド装置１０は、壁面２０に取付けられ、水平に配置されたレール１２を有する取付フレーム１１と、レール１２に沿って移動自在の一対の軸受保持部材１３、１３とを備えている。このうち一対の軸受保持部材１３，１３に、軸受棒１４が回動自在に保持されている。さらに軸受棒１４にベッド１５が固定され、ベッド１５は、開位置と閉位置との間で、壁面２０に対して揺動自在となっている。【選択図】図１
2008228774.tif 000002
【特許請求の範囲】
【請求項１】
壁面に取付けられ、水平に配置されたレールを有する取付フレームと、
レールに沿って移動自在の一対の軸受保持部材と、
一対の軸受保持部材に回動自在に保持された軸受棒と、
軸受棒に固定され、壁面に対して揺動自在なベッドとを備えたことを特徴とする折畳み式ベッド装置。
【請求項２】
ベッドは、本体と本体の一側から突出する突出部とを有し、
軸受棒は、突出部から両側へ突出することを特徴とする請求項１に記載の折畳み式ベッド装置。
【請求項３】
取付フレーム、軸受保持部材、および軸受棒は、アルミ押出材からなることを特徴とする請求項１または２に記載の折畳み式ベッド装置。
【請求項４】
ベッドは、アルミ枠体と樹脂カバーとを有することを特徴とする請求項１乃至３のいずれかに記載の折畳み式ベッド装置。
【請求項５】
ベッドの両側へ突出する軸受棒に、各々押圧板を介してベッドを閉方向に付勢する付勢体が設けられていることを特徴とする請求項１乃至４のいずれかに記載の折畳み式ベッド装置。
【請求項６】
各々の付勢体はばね部材からなり、壁面とベッドとがなす角が９０°乃至α°の場合に全てのばね部材が働き、壁面とベッドとがなす角がα°乃至０°の場合に一部のばね部材のみが働くことを特徴とする請求項５に記載の折畳み式ベッド装置。
【請求項７】
一方の押圧板は、壁面とベッドとがなす角がα°となった場合に軸受保持部材に固定されたストッパに係止して停止することを特徴とする請求項６に記載の折畳み式ベッド装置。
【請求項８】
各押圧板は、軸受棒が貫通する開口部と、各ばね部材の一端が当接するばね掛け部とを有することを特徴とする請求項７に記載の折畳み式ベッド装置。
【発明の詳細な説明】
【技術分野】
【０００１】
本発明は、休憩室内等に設置され、乳幼児に授乳をする場合や乳幼児のおむつを交換する場合等に用いられる折畳み式ベッド装置に係り、とりわけ設置する場所の大きさやレイアウトに合わせてベッドの形状を自在に設定することができ、かつベッド装置全体の軽量化を図ることができる折畳み式ベッド装置に関する。
【背景技術】
【０００２】
従来より、鉄道車内、公共施設、あるいはデパート等の人が多く集まる場所に、保護者および乳幼児が使用するための休憩室が設けられている。このような休憩室の多くに、保護者が乳幼児に授乳したり、おむつを交換したり、あるいは着替えをさせたりするための折畳み式ベッド装置が設置されている。このような折畳み式ベッド装置は、使用時には手動でベッドを倒してベッドを水平な位置（開位置）に保持することができ、一方、不使用時にはベッドを折り畳んでベッドを壁面に沿った垂直な位置（閉位置）に移動することができる。
【０００３】
ところで、このような従来の折畳み式ベッド装置は、各製品毎に形状や大きさの異なる金属部品、合成樹脂部品、あるいは木製部品等を製造し、これらを組み合わせることにより構成されている。したがって、折畳み式ベッド装置の各製品や用途毎に、専用の折畳み機構や専用の構造部品を設計してかつ製造する必要がある。このため、折畳み式ベッド装置を設置する休憩室の大きさやレイアウトが異なれば、これにあわせて折畳み式ベッド装置の折畳み機構や構造部品の設計も変更する必要がある。
【０００４】
また、従来の折畳み式ベッド装置は、鋼製または鉄製の部品同士を溶接により固定している場合も多い。このため、部品の分解や交換が難しく、折畳み式ベッド装置全体の重量も重くなっている。
【発明の開示】
【発明が解決しようとする課題】
【０００５】
本発明はこのような点を考慮してなされたものであり、各部品を共通化することにより、設置する場所の大きさやレイアウトに合わせてベッドのサイズを自在に設定することができ、かつベッド装置全体の軽量化を図ることができる折畳み式ベッド装置を提供することを目的とする。
【課題を解決するための手段】
【０００６】
本発明は、壁面に取付けられ、水平に配置されたレールを有する取付フレームと、レールに沿って移動自在の一対の軸受保持部材と、一対の軸受保持部材に回動自在に保持された軸受棒と、軸受棒に固定され、壁面に対して揺動自在なベッドとを備えたことを特徴とする折畳み式ベッド装置である。
【０００７】
本発明は、ベッドは、本体と本体の一側から突出する突出部とを有し、軸受棒は、突出部から両側へ突出することを特徴とする折畳み式ベッド装置である。
【０００８】
本発明は、取付フレーム、軸受保持部材、および軸受棒は、アルミ押出材からなることを特徴とする折畳み式ベッド装置である。
【０００９】
本発明は、ベッドは、アルミ枠体と樹脂カバーとを有することを特徴とする折畳み式ベッド装置である。
【００１０】
本発明は、ベッドの両側へ突出する軸受棒に、各々押圧板を介してベッドを閉方向に付勢する付勢体が設けられていることを特徴とする折畳み式ベッド装置である。
【００１１】
本発明は、各々の付勢体はばね部材からなり、壁面とベッドとがなす角が９０°乃至α°の場合に全てのばね部材が働き、壁面とベッドとがなす角がα°乃至０°の場合に一部のばね部材のみが働くことを特徴とする折畳み式ベッド装置である。
【００１２】
本発明は、一方の押圧板は、壁面とベッドとがなす角がα°となった場合に軸受保持部材に固定されたストッパに係止して停止することを特徴とする折畳み式ベッド装置である。
【００１３】
本発明は、各押圧板は、軸受棒が貫通する開口部と、各ばね部材の一端が当接するばね掛け部とを有することを特徴とする折畳み式ベッド装置である。
【発明の効果】
【００１４】
本発明によれば、ベッドの大きさや形状を問わず、取付フレーム、軸受保持部材、および軸受棒をそれぞれ同一の押出品から製造することができるので、設置する場所の大きさやレイアウトに合わせてベッドの形状を自在に設計することができる。
【００１５】
また、本発明によれば、取付フレーム、軸受保持部材、および軸受棒は、アルミ押出材からなっているので、取付フレーム、軸受保持部材、および軸受棒を製造する際それぞれ共通する型を用いることができ、部品の製造コストを削減することができる。また、折畳み式ベッド装置全体を軽量化することができる。
【００１６】
さらに、本発明によれば、ベッドの両側へ突出する軸受棒にベッドを閉方向に付勢する付勢体が設けられているので、開位置にあるベッドを持上げて閉位置とする際、軽い力でその操作を行なうことができる。また閉位置にあるベッドが振動によって開位置に倒れるおそれがない。
【００１７】
さらにまた、本発明によれば、開位置にあるベッドを持上げて閉位置に移動する場合、壁面の直前でベッドが減速するので、ベッドが壁面に強く衝突して大きな音が生じるおそれがない。
【発明を実施するための最良の形態】
【００１８】
第１の実施の形態
以下、本発明の第１の実施の形態について、図１乃至図４を参照して説明する。
ここで、図１は、本発明の第１の実施の形態を示す斜視図であり、図２は、本発明の第１の実施の形態を示す側面図である。また図３は、本発明による折畳み式ベッド装置の組立状態を示す斜視図であり、図４は、本発明の第１の実施の形態の変形例を示す斜視図である。
【００１９】
まず、図１乃至図４により本実施の形態による折畳み式ベッド装置の概略について説明する。
図１および図２に示す折畳み式ベッド装置１０は、鉄道車内、公共施設、あるいはデパート等の休憩室内等に設置され、例えば乳幼児のおむつを交換したり、乳幼児に着替えをさせたりする場合に、乳幼児を寝かせるための折畳み可能なベッド装置である。
【００２０】
このような折畳み式ベッド装置１０は、壁面２０に取付けられ水平に配置されたレール１２を有する取付フレーム１１と、レール１２に沿って移動自在の一対の軸受保持部材１３、１３と、一対の軸受保持部材１３、１３に回動自在に保持された軸受棒１４とを備えている。また軸受棒１４に、壁面２０に対して揺動自在なベッド１５が固定されている。
【００２１】
このベッド１５は、本体１５ａと本体１５ａの一側から突出する突出部１５ｂとを有し、軸受棒１４は、ベッド１５の突出部１５ｂから両側へ突出している。
【００２２】
また図２に示すように、取付フレーム１１は、２本のレール１２、１２を有するとともに、断面が一定の形状からなる細長い部材からなっている。
【００２３】
一方、各軸受保持部材１３は、レール１２、１２にそれぞれ係合する２つの突起部１３ａ、１３ａと、軸受棒１４が挿入される貫通孔１３ｂとを有している。
【００２４】
軸受棒１４は、ベッド１５の突出部１５ｂ内を横方向に貫通するとともに、その両端が突出部１５ｂの左右へ突出している。
【００２５】
これら取付フレーム１１、軸受保持部材１３、１３、および軸受棒１４は、いずれもアルミ押出材からなっている。このような取付フレーム１１、軸受保持部材１３、１３、および軸受棒１４は、対応する型を用いて押出加工された長尺の取付フレーム用押出品、軸受保持部材用押出品、および軸受棒用押出品をそれぞれ適当な幅に切断することにより製造される。
【００２６】
またベッド１５は、乳幼児を寝かせるための台であり、合成樹脂、金属、または木等からなっている。あるいはベッド１５は、アルミ枠体と樹脂カバーとから構成されていても良い。
【００２７】
このベッド１５は、折畳み式ベッド装置１０の用途や折畳み式ベッド装置１０を設置する場所のスペース等に応じて様々な形状のものを用いることができる。
【００２８】
例えば、図１に示す縦長形状のベッド１５に代えて、図４に示すような横長形状のベッド１５を用いても良い。この場合、ベッド１５の形状が変わっても、軸受保持部材１３、１３は同一のものを用いることができる。また、取付フレーム１１および軸受棒１４は単にその幅が異なるのみである。したがって、折畳み式ベッド装置１０を組み立てる際、予め準備された長尺の取付フレーム用アルミ押出品および長尺の軸受棒用アルミ押出品をそれぞれ適当な幅に切断するだけで、取付フレーム１１および軸受棒１４を得ることができる。
【００２９】
なお、図２に示すように、ベッド１５を水平な位置（以下開位置ともいう）に保持するため、取付フレーム１１に係止部材１６が取付けられていても良い。この係止部材１６は、ベッド１５が開位置となった際にベッド１５の突出部１５ｂに当接し、これによりベッド１５を水平に保持することができる。
【００３０】
次に図３を用いて、折畳み式ベッド装置１０を壁面２０に取付ける方法について述べる。
【００３１】
はじめに軸受棒１４をベッド１５に固定する。この場合、軸受棒１４両端がベッド１５の突出部１５ｂから両側に突出するように、軸受棒１４を突出部１５ｂ内に貫通させて固定させる。
【００３２】
次に、突出部１５ｂから両側へ突出する軸受棒１４に、それぞれ軸受保持部材１３、１３を取付ける。この場合、軸受棒１４の両端部は各軸受保持部材１３の貫通孔１３ｂ内に遊挿される。
【００３３】
次に、各軸受保持部材１３を取付フレーム１１に固定する。この場合、まず各軸受保持部材１３の突起部１３ａ、１３ａをそれぞれ対応するレール１２、１２に係合させる。なお、各軸受保持部材１３はレール１２に沿って移動自在であり、ベッド１５に合わせて任意の位置に取付けることができる。その後、ボルト（締結体）１７により取付フレーム１１と各軸受保持部材１３とを固定する。
【００３４】
その後、取付フレーム１１を壁面２０に取付ける。このようにして折畳み式ベッド装置１０は壁面２０に固定され、折畳み式ベッド装置１０のベッド１５は、軸受棒１４を中心に揺動可能となる。
【００３５】
これにより、使用の際、ベッド１５を倒してベッド１５を水平な位置（開位置）に保持することができるとともに、不使用の際、ベッド１５を折り畳んでベッド１５を壁面２０に沿って垂直な位置（閉位置）に保持することができる。
【００３６】
なお、上述した取付方法に代えて、まず壁面２０に取付フレーム１１を固定しておき、その後、この取付フレーム１１に各軸受保持部材１３、軸受棒１４、およびベッド１５を取付けても良い。
【００３７】
このように、本実施の形態によれば、ベッド１５の大きさを問わず取付フレーム１１、軸受保持部材１３、および軸受棒１４をそれぞれ同一の押出品から製造することができるので、設置する場所の大きさやレイアウトに合わせてベッド１５を自在に設計することができる。
【００３８】
また、本実施の形態によれば、取付フレーム１１、軸受保持部材１３、および軸受棒１４は、いずれもアルミ押出材からなっているので、取付フレーム１１、軸受保持部材１３、および軸受棒１４を製造する際、それぞれ共通する型を用いることができ、部品の製造コストを削減することができる。また、取付フレーム１１、軸受保持部材１３、および軸受棒１４はいずれもアルミ押出材からなっているので、折畳み式ベッド装置全体を軽量化することもできる。
【００３９】
さらに、本実施の形態によれば、折畳み式ベッド装置１０の各部品間に溶接箇所が存在しないので、折畳み式ベッド装置１０を分解したり、折畳み式ベッド装置１０の各部品を交換したりすることが容易であり、リサイクルが行ないやすい。
【００４０】
第２の実施の形態
次に、本発明の第２の実施の形態について図５乃至図１２を参照して説明する。
ここで、図５は本発明の第２の実施の形態を示す斜視図であり、図６は本発明の第２の実施の形態を示す側面図である。また図７は樹脂カバーを取り除いた状態での折畳み式ベッド装置を示す斜視図であり、図８は樹脂カバーを取り除いた状態での折畳み式ベッド装置を示す平面図である。また図９乃至図１１は、押圧板周辺の拡大図であり、図１２（ａ）（ｂ）は、軸受棒および押圧板を示す図である。なお、図５乃至図１２に示す第２の実施の形態において、折畳み式ベッド装置１０の基本的な構成は上述した第１の実施の形態と略同一である。図５乃至図１２において、図１乃至図４に示す第１の実施の形態と同一部分には同一の符号を付して詳細な説明は省略する。
【００４１】
図５乃至図８に示すように、折畳み式ベッド装置１０は、壁面２０に取付けられ、水平に配置されたレール１２を有する取付フレーム１１と、レール１２に沿って移動自在の一対の軸受保持部材１３Ａ、１３Ｂと、一対の軸受保持部材１３Ａ、１３Ｂに回動自在に保持された軸受棒１４と、軸受棒１４に固定され、壁面２０に対して揺動自在なベッド１５とを有している。
【００４２】
このうち取付フレーム１１、軸受保持部材１３Ａ、１３Ｂ、および軸受棒１４は、いずれもアルミ押出材からなっている。
【００４３】
また図５乃至図６に示すように、取付フレーム１１、軸受保持部材１３Ａ、１３Ｂ、および軸受棒１４は、合成樹脂製の保護カバー４１、４２、４３で覆われている。
【００４４】
一方図５乃至図８に示すように、ベッド１５は、アルミ枠体２１と、アルミ枠体２１を覆う合成樹脂からなる樹脂カバー２２とを有している。このうちアルミ枠体２１は、縦横に組合わされた４本のアルミフレーム２１ａ−２１ｄを有している。また、アルミフレーム２１ａ、２１ｂの一端にそれぞれアルミ押出材からなる支持部材２３、２３が取付けられている。
【００４５】
図７乃至図８に示すように、取付フレーム１１に、軸受保持部材１３Ａ、１３Ｂと同一の形状を有する追加の軸受保持部材１３Ｃが取付けられている。
【００４６】
また取付フレーム１１に、ベッド１５を開位置に保持するための２つの係止部材１６、１６が設けられている。これら係止部材１６、１６は、ベッド１５が開位置となった際、それぞれアルミ枠体２１の支持部材２３、２３に当接してベッド１５を水平に保持する役割を果たす。
【００４７】
さらに図８に示すように、一対の軸受保持部材１３Ａ、１３Ｂのうち一方の軸受保持部材１３Ａに固定ばね掛けピン３３が挿着され、また追加の軸受保持部材１３Ｃに固定ばね掛けピン３４が挿着されている。
【００４８】
ところで軸受棒１４は、ねじ（締結体）２４を介してアルミ枠体２１の支持部材２３、２３に固定され、これにより軸受棒１４がベッド１５に対して回転しないようになっている。
【００４９】
この軸受棒１４の両端は、アルミ枠体２１の支持部材２３、２３から両側へ突出している。このうち軸受棒１４の一端（左）に、押圧板ばね掛けピン（ばね掛け部）２８が取付けられた第１押圧板２５が設けられ、他方、軸受棒１４の他端（右）に、ダンパー２６が設けられている。さらに軸受保持部材１３Ｂ近傍に、押圧板ばね掛けピン（ばね掛け部）２９が取付けられた第２押圧板２７が設けられている。
【００５０】
また、軸受棒１４の一端（左）に、第１押圧板２５を介して軸受棒１４およびベッド１５を閉方向に付勢するねじりコイルばねからなる第１ばね部材（付勢体）３１が設けられている。この第１ばね部材３１は、一端が軸受保持部材１３Ａ側の固定ばね掛けピン３３に係止され、他端が第１押圧板２５側の押圧板ばね掛けピン２８に係止されている。
【００５１】
また、軸受棒１４の他端（右）に、第２押圧板２７を介して軸受棒１４およびベッド１５を閉方向に付勢するねじりコイルばねからなる第２ばね部材（付勢体）３２が設けられている。この第２ばね部材３２は、一端が追加の軸受保持部材１３Ｃ側の固定ばね掛けピン３４に係止され、他端が第２押圧板２７側の押圧板ばね掛けピン２９に係止されている。
【００５２】
次に、図９および図１２（ａ）（ｂ）を用いて、軸受棒１４の他端（右）周辺の構成について説明する。
【００５３】
図９に示すように、軸受保持部材１３Ｂの先端に、第２押圧板２７側に突出するストッパ１８が固定されている。このストッパ１８は、壁面２０とベッド１５とがなす角がα°となった場合（後述）に第２押圧板２７を係止して停止させるものである。他方、軸受保持部材１３Ａの先端にはこのようなストッパは設けられていない。
【００５４】
図１２（ａ）（ｂ）に示すように、軸受棒１４の両端に、それぞれ円弧部１４ａと平坦部１４ｂとが形成されている。また第２押圧板２７は、軸受棒１４が貫通するとともに円弧部３５ａと平坦部３５ｂとからなる開口部３５と、第２ばね部材３２の一端が当接する押圧板ばね掛けピン（ばね掛け部）２９とを有している。この場合、図１２（ａ）（ｂ）に示すように、開口部３５の平坦部３５ｂは、軸受棒１４の平坦部１４ｂより若干短くなっている。
【００５５】
なお、第１押圧板２５も第２押圧板２７と同様の構成からなっている。すなわち第１押圧板２５は、軸受棒１４が貫通するとともに円弧部３５ａと平坦部３５ｂとからなる開口部３５と、第１ばね部材３１の一端が当接する押圧板ばね掛けピン（ばね掛け部）２８とを有している。
【００５６】
次に、このような構成からなる本実施の形態の作用について、図９乃至図１２を用いて述べる。
なお図９は、ベッド１５が開位置となった場合における第２押圧板２７周辺の拡大図であり、図１０は、壁面２０とベッド１５とがなす角がα°の場合における第２押圧板２７周辺の拡大図であり、図１１は、ベッド１５が閉位置となった場合における第２押圧板２７周辺の拡大図である。また図１２（ａ）は、軸受棒１４と第２押圧板２７が回転方向に固定されていない状態を示す図であり、図１２（ｂ）は、軸受棒１４と第２押圧板２７が回転方向に固定されている状態を示す図である。
【００５７】
まず、図９に示すように、ベッド１５が開位置にあることを考える。この際、第２ばね部材３２は、押圧板ばね掛けピン２９を介して第２押圧板２７を押圧している。これにより、図１２（ｂ）に示すように、軸受棒１４の平坦部１４ｂの一端１４ｃが開口部３５の平坦部３５ｂの一端３５ｃに当接し、軸受棒１４と第２押圧板２７とは第２押圧板２７の回転方向（図９の矢印方向）に固定される。
【００５８】
このようにして、第２ばね部材３２は、第２押圧板２７を介して軸受棒１４に対して図９の矢印方向に回転させる力を加える。他方、第１ばね部材３１は、第１押圧板２５を介して軸受棒１４に対して図９の矢印方向に回転させる力を加える。しかしながら、ベッド１５の自重による力がこれらを上回るため、ベッド１５は水平に保持されている。
【００５９】
次に、外部からベッド１５を閉方向に回転させる力が加えられることを考える。この場合、第１ばね部材３１および第２ばね部材３２により、それぞれ第１押圧板２５および第２押圧板２７を介して軸受棒１４が回転され、ベッド１５は閉方向に回転される。この間、壁面２０とベッド１５とがなす角は９０°からα°まで徐々に小さくなる。この場合、第１ばね部材３１および第２ばね部材３２は共に働いている。
【００６０】
次に、図１０に示すように、ベッド１５は、壁面２０とのなす角がα°となる位置に達する。この際、第２押圧板２７がストッパ１８に当接し、第２押圧板２７は停止してこの位置に固定される。
【００６１】
次に、ベッド１５は更に閉方向に回転され、壁面２０とベッド１５とがなす角はα°から０°まで徐々に小さくなる。この際、第２押圧板２７が上述した位置に固定されているので、第２ばね部材３２による駆動トルクは軸受棒１４に伝達されない。したがって、第２ばね部材３２は働くことなく第１ばね部材３１のみが働く。このようにして、第１ばね部材３１のみにより、第１押圧板２５を介して軸受棒１４およびベッド１５が閉方向に回転される。
【００６２】
その後、図１１に示すように、ベッド１５は閉位置に達し、ベッド１５と壁面２０とのなす角が０°となる。この際、図１２（ａ）に示すように、軸受棒１４の平坦部１４ｂの一端１４ｃと開口部３５の平坦部３５ｂの一端３５ｃとが離間し、軸受棒１４と第２押圧板２７との固定が解除される。
【００６３】
すなわち、壁面２０とベッド１５とがなす角がα°となる位置を境に、ベッド１５が閉方向へ回転する速度が減少するので、ベッド１５が閉位置に達した際、ベッド１５が壁面２０に強く衝突することがない。
【００６４】
なお、角度αは２°乃至１０°となることが好ましい。角度αが２°を下回ると、開位置にあるベッド１５を閉位置に移動させる場合、壁面２０の直前でベッドが十分に減速せず、ベッド１５が壁面２０に強く衝突するおそれがある。他方、角度αが１０°を上回ると、ベッド１５を十分に付勢することがむずかしい。
【００６５】
このように、本実施の形態によれば、ベッド１５のアルミ枠体２１の支持部材２３、２３から両側へ突出する軸受棒１４に、ベッド１５を閉方向に付勢する第１ばね部材および第２ばね部材がそれぞれ設けられているので、開位置にあるベッド１５を持上げて閉位置とする際、軽い力でその操作を行なうことができる。また、例えば折畳み式ベッド装置１０が鉄道車内に設置されている場合であっても、閉位置にあるベッド１５が振動によって開位置に倒れるおそれがない。
【００６６】
また、本実施の形態によれば、開位置にあるベッド１５を持上げて閉位置に移動させる場合、壁面２０の直前でベッド１５が減速するので、ベッド１５が壁面２０に強く衝突して大きな音が生じるおそれがない。
【００６７】
なお、上述した各実施の形態において、折畳み式ベッド装置１０は、例えば乳幼児を寝かせるためのベッド装置として用いられるが、これに限られず、物品載置台や椅子等、壁面２０から水平に突出するとともに開閉可能な装置の機構としても用いることもできる。
【図面の簡単な説明】
【００６８】
【図１】本発明による折畳み式ベッド装置の第１の実施の形態を示す斜視図。
【図２】本発明による折畳み式ベッド装置の第１の実施の形態を示す側面図。
【図３】本発明による折畳み式ベッド装置の組立状態を示す斜視図。
【図４】本発明による折畳み式ベッド装置の第１の実施の形態の変形例を示す斜視図。
【図５】本発明による折畳み式ベッド装置の第２の実施の形態を示す斜視図。
【図６】本発明による折畳み式ベッド装置の第２の実施の形態を示す側面図。
【図７】本発明による折畳み式ベッド装置の樹脂カバーを取り除いた状態を示す斜視図。
【図８】本発明による折畳み式ベッド装置の樹脂カバーを取り除いた状態を示す平面図。
【図９】ベッドが開位置となった場合における第２押圧板周辺の拡大図。
【図１０】壁面とベッドとがなす角がα°の場合における第２押圧板周辺の拡大図。
【図１１】ベッドが閉位置となった場合における第２押圧板周辺の拡大図。
【図１２】軸受棒および押圧板を示す図。
【符号の説明】
【００６９】
１０    折畳み式ベッド装置
１１    取付フレーム
１２    レール
１３、１３Ａ、１３Ｂ、１３Ｃ  軸受保持部材
１３ａ  突起部
１４    軸受棒
１４ａ  円弧部
１４ｂ  平坦部
１５    ベッド
１５ａ  本体
１５ｂ  突出部
１６    係止部材
１７    ボルト（締結体）
１８    ストッパ
２０    壁面
２１    アルミ枠体
２１ａ−２１ｄ  アルミフレーム
２２    樹脂カバー
２３    支持部材
２４    ねじ（締結体）
２５    第１押圧板
２６    ダンパー
２７    第２押圧板
２８    押圧板ばね掛けピン
２９    押圧板ばね掛けピン
３１    第１ばね部材（付勢体）
３２    第２ばね部材（付勢体）
３３    固定ばね掛けピン
３４    固定ばね掛けピン
３５    開口部
３５ａ  円弧部
３５ｂ  平坦部
【図１】
2008228774.tif 000003
【図２】
2008228774.tif 000004
【図３】
2008228774.tif 000005
【図４】
2008228774.tif 000006
【図５】
2008228774.tif 000007
【図６】
2008228774.tif 000008
【図７】
2008228774.tif 000009
【図８】
2008228774.tif 000010
【図９】
2008228774.tif 000011
【図１０】
2008228774.tif 000012
【図１１】
2008228774.tif 000013
【図１２】
2008228774.tif 000014